(57)【要約】【課題】便器洗浄中に汚物を含む洗浄水（汚水）が排水トラップ管路から排出されずにボウル部内に残存することを防ぐことができる水洗大便器を提供する。【解決手段】本発明の水洗大便器１は、洗浄水源から供給される洗浄水を吐水するリム吐水口１８が形成されたリム部２２を備えたボウル部１２と、このボウル部の下方に接続される入口部１４ａと、この入口部から上昇するトラップ上昇管１４ｂと、このトラップ上昇管から下降するトラップ下降管１４ｃと、このトラップ下降管とトラップ上昇管との間に位置する頂部１４ｄと、を備えた排水トラップ管路１４と、を有し、排水トラップ管路のトラップ上昇管は、便器の洗浄中にボウル部からトラップ上昇管内に流入してトラップ上昇管内を上流側へ流れようとする洗浄水をトラップ上昇管の断面のほぼ中央の領域Ａに導くガイド部３０を備えている。【選択図】図３
2013072238.tif 000002
【特許請求の範囲】
【請求項１】
洗浄水源から供給される洗浄水により便器を洗浄して汚物を排出する水洗大便器であって、
洗浄水源から供給される洗浄水を吐水するリム吐水口が形成されたリム部を備えたボウル部と、
このボウル部の下方に接続される入口部と、この入口部から上昇するトラップ上昇管と、このトラップ上昇管から下降するトラップ下降管と、このトラップ下降管と上記トラップ上昇管との間に位置する頂部と、を備えた排水トラップ管路と、を有し、
上記排水トラップ管路のトラップ上昇管は、便器の洗浄中に上記ボウル部から上記トラップ上昇管内に流入して上記トラップ上昇管内を上流側へ流れようとする洗浄水を上記トラップ上昇管の断面のほぼ中央の領域に導くガイド部を備えていることを特徴とする水洗大便器。
【請求項２】
上記ボウル部は、更に、上記排水トラップ管路の入口部に指向するように形成されて上記トラップ上昇管内にジェット吐水を行うジェット吐水口を備えている請求項１記載の水洗大便器。
【請求項３】
上記排水トラップ管路のトラップ上昇管は、更に、上記入口部から上記トラップ上昇管のガイド部まで延びる流路の断面の所定方向の幅が上記入口部から上記ガイド部に向かって徐々に縮小するように形成された流路縮小部を備えている請求項１又は２に記載の水洗大便器。
【請求項４】
上記排水トラップ管路のトラップ上昇管は、概ね台形形状の流路断面を備え、この流路断面の上側部分は、上方に張り出した湾曲部分を備えている請求項３記載の水洗大便器。
【発明の詳細な説明】
【技術分野】
【０００１】
本発明は、水洗大便器に係り、特に、洗浄水源から供給される洗浄水により便器を洗浄して汚物を排出する水洗大便器に関する。
【背景技術】
【０００２】
従来から、洗浄水源から供給される洗浄水により便器を洗浄して汚物を排出する水洗大便器として、特許文献１に示されているように、便器ボウル部のリム部に形成されたリム吐水口から便器ボウル部内に洗浄水を吐水し、便器ボウル部の底部に形成されたジェット吐水口から排水トラップ管路内に洗浄水を吐水することにより、サイホン作用を発生させ、便器ボウル部内の汚物を含む洗浄水（汚水）を排水トラップ管路の上昇管路から下降管路へと排出する、いわゆる、サイホンジェット式の水洗大便器が知られている。
【先行技術文献】
【特許文献】
【０００３】
【特許文献１】特開２００９−７８５４号公報
【発明の概要】
【発明が解決しようとする課題】
【０００４】
また、近年の水洗大便器の分野では、便器洗浄に使用される洗浄水量の節水化の要請が著しく、１回の大洗浄に使用される最大の洗浄水量が、例えば４リットル程度になるように、節水化の実現に向けた様々な取り組みがなされている。
【０００５】
しかしながら、このような近年の節水化の要請に応えるために、特に、ジェット吐水口から吐水される洗浄水の水量をむやみに減少させてしまうと、排水トラップ管路の上昇管路から下降管路へと浮遊系汚物を排出することができなくなり、便器ボウル部内に浮遊系汚物が残存してしまうという問題がある。
【０００６】
そこで、本発明は、上述した従来の問題を解決するためになされたものであり、便器洗浄中に汚物を含む洗浄水（汚水）が排水トラップ管路から排出されずにボウル部内に残存することを防ぐことができる水洗大便器を提供すること目的としている。
【課題を解決するための手段】
【０００７】
上述した課題を解決するために、本発明は、洗浄水源から供給される洗浄水により便器を洗浄して汚物を排出する水洗大便器であって、洗浄水源から供給される洗浄水を吐水するリム吐水口が形成されたリム部を備えたボウル部と、このボウル部の下方に接続される入口部と、この入口部から上昇するトラップ上昇管と、このトラップ上昇管から下降するトラップ下降管と、このトラップ下降管と上記トラップ上昇管との間に位置する頂部と、を備えた排水トラップ管路と、を有し、上記排水トラップ管路のトラップ上昇管は、便器の洗浄中に上記ボウル部から上記トラップ上昇管内に流入して上記トラップ上昇管内を上流側へ流れようとする洗浄水を上記トラップ上昇管の断面のほぼ中央の領域に導くガイド部を備えていることを特徴としている。
このように構成された本発明においては、ボウル部のリム部のリム吐水口からボウル部内に洗浄水が吐水されて便器の洗浄が行われ、ボウル部から汚物を含む洗浄水が排水トラップ管路のトラップ上昇管内に流入し、上流側方向へ排水トラップ管路の入口部に向って逆流しようとした際に、このトラップ上昇管内を逆流しようとする汚物を含む洗浄水（汚水）がトラップ上昇管のガイド部によりトラップ上昇管の断面のほぼ中央の領域に導かれ、その後、ボウル部側から排水トラップ管路の入口部を経てトラップ上昇管内に新たに流入した洗浄水の水圧により、トラップ上昇管内の汚水が押し上げられ、排水トラップ管路の頂部を超えてトラップ下降管から排出される。したがって、汚物を含む洗浄水（汚水）が排水トラップ管路から排出されずにボウル部内に残存することを防ぐことができる。
【０００８】
本発明において、好ましくは、上記ボウル部は、更に、上記排水トラップ管路の入口部に指向するように形成されて上記トラップ上昇管内にジェット吐水を行うジェット吐水口を備えている。
このように構成された本発明においては、ボウル部のリム部のリム吐水口からボウル部内に洗浄水が吐水されて便器の洗浄が行われ、ボウル部から汚物を含む洗浄水が排水トラップ管路のトラップ上昇管内に流入し、上流側方向へ排水トラップ管路の入口部に向って逆流しようとした際に、このトラップ上昇管内を逆流しようとする汚物を含む洗浄水（汚水）がトラップ上昇管のガイド部によりトラップ上昇管の断面のほぼ中央の領域に導かれ、その後、ボウル部のジェット吐水口から排水トラップ管路の入口部を経てトラップ上昇管内に新たに流入するジェット吐水の水圧や噴流により、トラップ上昇管内の汚水が押し上げられ、排水トラップ管路の頂部を超えてトラップ下降管から排出される。したがって、汚物を含む洗浄水（汚水）が排水トラップ管路から排出されずにボウル部内に残存することを防ぐことができる。
【０００９】
本発明において、好ましくは、上記排水トラップ管路のトラップ上昇管は、更に、上記入口部から上記トラップ上昇管のガイド部まで延びる流路の断面の所定方向の幅が上記入口部から上記ガイド部に向かって徐々に縮小するように形成された流路縮小部を備えている。
このように構成された本発明においては、便器洗浄中にボウル部内の汚物を含む洗浄水が排水トラップ管路の入口部からトラップ上昇管の流路縮小部を経てトラップ上昇管のガイド部に流入する際に、トラップ上昇管の流路縮小部により、排水トラップ管路の入口部からトラップ上昇管のガイド部まで延びる流路の断面の所定方向の幅が入口部からガイド部に向かって徐々に縮小しているため、この流路縮小部内で汚物の詰まりを発生することなくスムーズに汚物を含む汚水を下流側へ排出することができる。したがって、汚物を含む汚水が排水トラップ管路から排出されずにボウル部内に残存することを防ぐことができる。
【００１０】
本発明において、好ましくは、上記排水トラップ管路のトラップ上昇管は、概ね台形形状の流路断面を備え、この流路断面の上側部分は、上方に張り出した湾曲部分を備えている。
このように構成された本発明においては、排水トラップ管路のトラップ上昇管の概ね台形形状の流路断面の上側部分が上方に張り出した湾曲部分を備えていることにより、例えば、このトラップ上昇管の概ね台形形状の流路断面の断面積と、このトラップ上昇管の流路断面を外接する四角形状の流路断面の断面積とを比較した場合に、トラップ上昇管の概ね台形形状の流路断面の断面積の方が四角形状の流路断面の断面積よりも狭くなるため、排水トラップ管路のトラップ上昇管内で上方へ浮上した浮遊系汚物をトラップ上昇管の流路断面の上側部分の湾曲部分により、トラップ上昇管内の流路断面の中心方向に集めて下流側に排出しやすくすることができる。したがって、汚物を含む汚水が排水トラップ管路から排出されずにボウル部内に残存することを防ぐことができる。
【発明の効果】
【００１１】
本発明の水洗大便器によれば、便器洗浄中に汚物を含む洗浄水（汚水）が排水トラップ管路から排出されずにボウル部内に残存することを防ぐことができる。
【図面の簡単な説明】
【００１２】
【図１】本発明の一実施形態による水洗大便器の部分側面図である。
【図２】図１に示す水洗大便器の平面図である。
【図３】図２に示す水洗大便器の排水トラップ管路の部分を拡大した部分拡大図である。
【図４】図３に示す水洗大便器の排水トラップ管路のトラップ上昇管における流路縮径部及びガイド部の部分を拡大した部分拡大図である。
【図５】本発明の一実施形態による水洗大便器の排水トラップ管路のトラップ上昇管のガイド部の入口から出口までの所定間隔毎の流路断面の形状変化について説明した図である。
【図６】図６の（ａ）〜（ｎ）は、本発明の一実施形態による水洗大便器の排水トラップ管路のトラップ上昇管のガイド部の入口から出口までの各流路断面を示す図である。
【発明を実施するための形態】
【００１３】
つぎに、添付図面を参照して、本発明の一実施形態による水洗大便器を説明する。
まず、図１及び図２により、本発明の第１実施形態による水洗大便器の構造を説明する。
ここで、図１は本発明の一実施形態による水洗大便器の部分側面図であり、図２は図１に示す水洗大便器の平面図である。
【００１４】
図１及び図２に示すように、本発明の第１実施形態による水洗大便器１は、便器本体２と、この便器本体２の上面に配置された便座４と、この便座４を覆うように配置されたカバー６と、便器本体２の後方上部に配置された局部洗浄装置８を備えている。
さらに、便器本体２の後方には、機能部１０が配置されている。
【００１５】
便器本体２には、汚物を受けるボウル形状のボウル部１２と、このボウル部１２の底部から延びる排水トラップ管路１４と、ジェット吐水を行うジェット吐水口１６と、リム吐水を行うリム吐水口１８が形成されている。
【００１６】
ジェット吐水口１６は、ボウル部１２の汚物を受ける汚物受け面２０の底部２０ａに形成されており、排水トラップ管路１４の入口部１４ａに指向してほぼ水平に配置され、洗浄水を排水トラップ管路１４に向けて吐出するようになっている。
【００１７】
リム吐水口１８は、ボウル部１２の上縁に形成するリム部２２の後方側の領域における前方から見て左側の内周面２２ａに形成されている。このリム吐水口１８からリム部２２の内周面２２ａに沿って前方に吐出された洗浄水は、汚物受け面２０の上縁とリム部２２の下縁との間に形成されたボウル部１２の棚部２４から汚物受け面２０に沿って旋回する流れ（旋回流）を形成するようになっている。
【００１８】
排水トラップ管路１４は、入口部１４ａと、この入口部１４ａから上昇するトラップ上昇管１４ｂと、このトラップ上昇管１４ｂから下降するトラップ下降管１４ｃとからなり、トラップ上昇管１４ｂとトラップ下降管１４ｃとの間が頂部１４ｄとなっている。
ここで、排水トラップ管路１４のトラップ下降管１４ｃの下端には、排水管２６が接続されている。
【００１９】
本実施形態による水洗大便器１においては、リム吐水に関しては、リム部２２のリム吐水口１８よりも後方側に形成されたリム導水路１８ａが、洗浄水を供給する洗浄水源である水道（図示せず）に直結されており、水道の給水圧力により、リム導水路１８ａに供給された洗浄水は、リム吐水口１８から前方へ吐出されるようになっている。なお、リム吐水口１８へ洗浄水を供給する洗浄水源としては、本実施形態で示した水道水の給水圧を直接利用した水道直圧式のものに限定されず、重力給水式の貯水タンクのようなタンク式のものや、フラッシュバルブ式のものや、ポンプの補圧を利用して洗浄水を供給するものであってもよい。
また、ジェット吐水に関しては、後述するように、機能部１０に内蔵された貯水タンク（図示せず）に貯水された洗浄水は、機能部１０に内蔵された加圧ポンプ（図示せず）によって加圧され、ボウル部１２の後方側からジェット吐水口１６にかけて形成されたジェット導水路１６ａを経て、ジェット吐水口１６から吐出されるようになっている。
【００２０】
つぎに、図１〜図４により、本実施形態による水洗大便器１の排水トラップ管路１４について詳細に説明する。
図３は、図２に示す水洗大便器の排水トラップ管路の部分を拡大した部分拡大図であり、図４は、図３に示す水洗大便器の排水トラップ管路のトラップ上昇管における流路縮径部及びガイド部の部分を拡大した部分拡大図である。
【００２１】
図３及び図４に示すように、排水トラップ管路１４のトラップ上昇管１４ｂは、入口部１４ａから後方側（下流側）に所定距離に延びた流路縮小部２８を備え、この流路縮小部２８の流路断面の横幅ｗ１が、流路縮小部２８の上流側端部である入口２８ａから流路縮小部２８の下流側端部である出口２８ｂに向って徐々に縮小するようになっている。これにより、水洗大便器１の洗浄中にボウル部１２内の汚物を含む洗浄水（汚水）が排水トラップ管路１４の入口部１４ａからトラップ上昇管１４ｂの流路縮小部２８を通過する際に、この流路縮小部２８内で汚物の詰まりを発生することなくスムーズに汚水を下流側へ排出することができ、汚水が排水トラップ管路１４から排出されずにボウル部１２内に残存することを防ぐことができるようになっている。
【００２２】
また、排水トラップ管路１４のトラップ上昇管１４ｂは、流路縮小部２８の出口２８ｂに接続されたガイド部３０を備え、このガイド部３０により、水洗大便器１の洗浄中にボウル部１２から排水トラップ管路１４の入口部１４ａ経てトラップ上昇管１４ｂ内に流入した汚物を含む洗浄水（汚水）が、トラップ上昇管１４ｂの流路縮小部２８を経てガイド部３０に流入した後、或いはトラップ上昇管１４ｂの流路縮小部２８を経てガイド部３０を通過した後、上流側方向へ排水トラップ管路１４の入口部１４ａに向ってトラップ上昇管内１４ｂを逆流する汚水をトラップ上昇管１４ｂの流路断面のほぼ中央の領域Ａに導くことができるようになっている。
【００２３】
さらに、トラップ上昇管１４ｂのガイド部３０は、流路縮小部２８の出口２８ｂに相当する入口３０ａよりも下流側に隣接した位置から横方向（図４の前方側から見て左右方向）に流路断面の横幅ｗ２が下流側に向って拡張するように形成された上流側ガイド部３０ｂと、この上流側ガイド部３０ｂの下流側端部からガイド部３０の出口３０ｃに向って流路断面の横幅ｗ３が下流側に向って徐々に縮小するように形成された下流側ガイド部３０ｄとを備えている。
【００２４】
また、本実施形態の水洗大便器１では、図３及び図４に示すように、ジェット吐水口１６及びジェット導水路１６ａの流路断面の大きさ（横幅ｗ４）が、排水トラップ管路１４の流路縮小部２８及びガイド部３０の流路断面の大きさ（横幅ｗ１〜ｗ３）よりも小さく設定されており、水洗大便器１の洗浄が開始されて最初にリム吐水口１８からのボウル部１２内に洗浄水（リム吐水）が吐出され、ボウル部１２内の汚物を含む洗浄水（汚水）が排水トラップ管路１４へ排出された後、ジェット吐水口１６から排水トラップ管路１４内に吐出された洗浄水（ジェット吐水）がトラップ上昇管１４ｂの流路縮小部２８及びガイド部３０の流路断面のほぼ中央の領域を勢いよく流れるようになっている。
【００２５】
これにより、水洗大便器１の洗浄が開始されてボウル部１２のリム部２２のリム吐水口１８からボウル部１２内に洗浄水が吐水され、ボウル部１２から排水トラップ管路１４のトラップ上昇管１４ｂ内に流入した汚物を含む洗浄水（汚水）が、図３及び図４に示すように、トラップ上昇管１４ｂのガイド部３０内の流路断面の中央の領域からその両側（外側）領域に向かって迂回するような流れｆ１を形成し、排水トラップ管路１４の入口部１４ａに向って逆流しようとする流れが発生したとしても、このトラップ上昇管１４ｂのガイド部３０内を逆流しようとする汚水（流れｆ１）が、上流側ガイド部３０ｂの内周面から下流側ガイド部３０ｄの内周面に沿って再びトラップ上昇管１４ｂの断面のほぼ中央の領域Ａに導かれるようになっている。そして、このトラップ上昇管１４ｂの断面のほぼ中央の領域Ａに導かれた汚水は、ボウル部１２のジェット吐水口１６から排水トラップ管路１４の入口部１４ａを経てトラップ上昇管１４ｂ内に新たに流入するジェット吐水の水圧や噴流（図３及び図４に示す流れｆ２参照）により、トラップ上昇管１４ｂ内の汚水が押し上げられ、排水トラップ管路１４の頂部１４ｄを超えてトラップ下降管１４ｃから排出されるようになっており、汚物を含む洗浄水（汚水）が排水トラップ管路１４から排出されずに逆流してボウル部１２内に残存することを防ぐことができるようになっている。
【００２６】
つぎに、図１及び図４〜図６により、本実施形態による水洗大便器１の排水トラップ管路１４のトラップ上昇管路１４ｂのガイド部３０における流路断面について詳細に説明する。
ここで、図５は本発明の一実施形態による水洗大便器の排水トラップ管路のトラップ上昇管のガイド部の入口から出口までの所定間隔毎の流路断面の形状変化について説明した図である。なお、図４及び図５においては、トラップ上昇管１４ｂのガイド部３０の入口３０ａ（流路縮小部２８の出口２８ｂ）を「断面ａ」とし、ガイド部３０の出口３０ｃにおける上下方向に延びる垂直な流路断面を「断面ｎ」とし、ガイド部３０の入口３０ａから出口３０ｃまでの５ｍｍ毎のガイド部３０の垂直な流路断面のそれぞれについて、「断面ｂ〜ｍ」とする。
また、図６の（ａ）〜（ｎ）は、本発明の一実施形態による水洗大便器の排水トラップ管路のトラップ上昇管のガイド部の入口から出口までの各流路断面を示す図である。なお、図６の（ａ）はトラップ上昇管１４ｂのガイド部３０の入口３０ａ（流路縮小部２８の出口２８ｂ）における上下方向に延びる垂直な流路断面とし、図６の（ｎ）は、トラップ上昇管１４ｂのガイド部３０の出口３０ｃにおける上下方向に延びる垂直な流路断面を示しており、図６の（ｂ）〜（ｍ）は、ガイド部３０の入口３０ａから出口３０ｃまでの５ｍｍ毎のガイド部３０の垂直な流路断面をそれぞれ示している。
【００２７】
図１及び図４〜図６に示すように、排水トラップ管路１４のトラップ上昇管１４ｂの流路縮小部２８及びガイド部３０の流路断面ａ〜ｊは、これらの上側部分が上方に張り出した湾曲部分２８ｃ，３０ｅを備えた概ね台形形状となっている。特に、ガイド部３０の流路断面ｇ〜ｊの上側の湾曲部分３０ｅは円弧状となっている。
また、ガイド部３０の流路断面ｋ〜ｎにおいては、上側部分が上方に張り出した湾曲部分３０ｅとなっており、下側部分が下方に張り出した湾曲部分３０ｆとなっている。
これらのトラップ上昇管１４ｂの流路断面ａ〜ｎの湾曲部分３０ｅ，３０ｆにより、これらの流路断面ａ〜ｎの各断面積Ｓａ〜Ｓｎと、流路断面ａ〜ｎに外接する仮想的な四角形の各断面積Ｓａ’〜Ｓｎ’（図６の（ａ）〜（ｎ）の破線Ｓａ’〜Ｓｎ’参照）とを比較した場合に、流路断面ａ〜ｎの各断面積Ｓａ〜Ｓｎの方が、四角形状の流路断面の断面積Ｓａ’〜Ｓｎ’よりも狭くなるため、排水トラップ管路１４のトラップ上昇管１４ｂの流路縮小部２８やガイド部３０の流路内で上方へ浮上した浮遊系汚物が、トラップ上昇管１４ｂの流路縮小部２８やガイド部３０の流路断面ａ〜ｎの上側部分の湾曲部分２８ｃ，３０ｅにより、トラップ上昇管１４ｂの流路縮小部２８やガイド部３０の流路断面ａ〜ｎの中心方向に集めてジェット吐水により下流側へ排出しやすくすることができるようになっている。
【００２８】
上述した本発明の第１実施形態による水洗大便器１によれば、ボウル部１２のリム部２２のリム吐水口１８からボウル部１２内に洗浄水が吐水されて水洗大便器１の洗浄が行われ、ボウル部１２から汚物を含む洗浄水が排水トラップ管路１４の入口部１４ａからトラップ上昇管１４ｂの流路縮径部２８を経てガイド部３０内に流入した後、上流側方向へ排水トラップ管路１４の入口部１４ａに向って逆流する流れｆ１が発生したとしても、このトラップ上昇管１４ｂ内を逆流する流れｆ１の汚物を含む洗浄水（汚水）がトラップ上昇管１４ｂのガイド部３０の下流側ガイド３０ｄから上流側ガイド部３０ｂを経てトラップ上昇管１４の断面のほぼ中央の領域Ａ（図３及び図４参照）に導かれる。そして、このトラップ上昇管１４ｂ内のほぼ中央の領域Ａに逆流した汚水は、この後、ジェット吐水口１６から排水トラップ管路１４の入口部１４ａを経てトラップ上昇管１４ｂの流路縮径部２８内に新たに流入する洗浄水（図３に示すジェット吐水の流れｆ２参照）の水圧と噴流により、トラップ上昇管１４ｂ内を頂部１４ｄに向って押し上げられ、この排水トラップ管路１４の頂部１４ｄを超えてトラップ下降管１４ｂから排水管２６へ排出される。この結果、汚物を含む洗浄水（汚水）が排水トラップ管路１４から排出されずにボウル部１２内に残存することを防ぐことができる。
【００２９】
また、本実施形態による水洗大便器１によれば、便器洗浄中にボウル部１２内の汚物を含む洗浄水（汚水）が排水トラップ管路１４の入口部１４ａからトラップ上昇管１４ｂの流路縮小部２８を経てトラップ上昇管１４ｂのガイド部３０に流入する際に、トラップ上昇管１４ｂの流路縮小部２８の流路断面の横幅ｗ１が、流路縮小部２８の上流側端部である入口２８ａから流路縮小部２８の下流側端部である出口２８ｂに向って徐々に縮小しているため、この流路縮小部２８内で汚物の詰まりを発生することなくスムーズに汚物を含む汚水を下流側へ排出することができる。この結果、汚物を含む汚水が排水トラップ管路１４から排出されずにボウル部１２内に残存することを防ぐことができる。
【００３０】
さらに、本実施形態による水洗大便器１によれば、排水トラップ管路１４のトラップ上昇管１４ｂの概ね台形形状の流路断面ａ〜ｊの上側部分が上方に張り出した湾曲部分３０ｅを備えていることにより、例えば、このトラップ上昇管１４ｂの概ね台形形状の流路断面ａ〜ｊの断面積Ｓａ〜Ｓｊと、この流路断面ａ〜ｊを外接する四角形状の流路断面の断面積Ｓａ’〜Ｓｊ’とを比較した場合に、トラップ上昇管１４ｂの概ね台形形状の流路断面ａ〜ｊの断面積Ｓａ〜Ｓｊの方が四角形状の流路断面の断面積Ｓａ’〜Ｓｊ’よりも狭くなるため、排水トラップ管路のトラップ上昇管１４ｂの流路縮小部２８及びガイド部３０内で上方へ浮上した浮遊系汚物をトラップ上昇管１４ｂの流路断面ａ〜ｊの上側部分の湾曲部分２８ｃ，３０ｅにより、トラップ上昇管１４ｂの流路断面ａ〜ｊの中心方向に集めてジェット吐水により下流側へ排出しやすくすることができる。この結果、汚物を含む汚水が排水トラップ管路１４から排出されずにボウル部１２内に残存することを防ぐことができる。
【００３１】
なお、上述した本発明の一実施形態による水洗大便器１においては、例として、リム吐水口及びジェット吐水口からボウル部と排水トラップ管路へ洗浄水を供給して、サイホン作用を発生させ、これにより、ボウル部内の汚物を排出するようにしたサイホンジェット式の水洗大便器の形態について説明したが、このような形態に限られず、ジェット吐水口を省略してリム吐水口のみを採用したサイホン式の水洗大便器であってもよいし、ボウル部内の水の落差による流水作用で汚物を押し流す、いわゆる、洗い落し式の水洗大便器であってもよい。
【００３２】
また、上述した本発明の一実施形態による水洗大便器１では、排水トラップ管路１４のトラップ上昇管１４ｂの流路縮小部２８について、この流路縮小部２８の流路断面の横幅ｗ１が、流路縮小部２８の上流側端部である入口２８ａから流路縮小部２８の下流側端部である出口２８ｂに向って徐々に縮小するような形態について説明したが、このような形態に限定されず、流路縮小部２８の流路断面の横幅ｗ１を徐々に縮小する代わりに流路断面の縦幅を徐々に縮小するようにしてもよい。さらに、トラップ上昇管１４ｂのガイド部３０についても、上流側ガイド部３０の流路断面の横幅ｗ２を下流側に向って拡張すると共に下流側ガイド部３０の流路断面の横幅ｗ３を下流側に向って徐々に縮小する代わりに、上流側ガイド部３０の流路断面の縦幅を下流側に向って拡張すると共に下流側ガイド部３０の流路断面の縦幅を下流側に向って徐々に縮小するようにしてもよい。
【符号の説明】
【００３３】
１    水洗大便器
２    便器本体
４    便座
６    カバー
８    局部洗浄装置
１０    機能部
１２    ボウル部
１２ａ  ボウル部内の前端部
１２ｂ  ボウル部内の右側端部
１２ｃ  ボウル部内の後端部
１２ｄ  ボウル部内の左側端部
１４    排水トラップ管路
１４ａ  排水トラップ管路の入口部
１４ｂ  トラップ上昇管
１４ｃ  トラップ下降管
１４ｄ  排水トラップ管路の頂部
１６    ジェット吐水口
１６ａ  ジェット導水路
１８    リム吐水口
１８ａ  リム導水路
２０    ボウル部の汚物受け面
２０ａ  ボウル部の汚物受け面の底部
２２    ボウル部のリム部
２２ａ  ボウル部のリム部の内周面
２４    ボウル部の棚部
２４ａ  ボウル部の棚部の傾斜部
２６    排水管
２８    流路縮小部
２８ａ  流路縮小部の入口
２８ｂ  流路縮小部の出口
２８ｃ  流路縮小部の流路断面の湾曲部分
３０    ガイド部
３０ａ  ガイド部の入口
３０ｂ  上流側ガイド部
３０ｃ  ガイド部の出口
３０ｄ  下流側ガイド部
３０ｅ  ガイド部の流路断面の湾曲部分
３０ｆ  ガイド部の流路断面の湾曲部分
【図１】
2013072238.tif 000003
【図２】
2013072238.tif 000004
【図３】
2013072238.tif 000005
【図４】
2013072238.tif 000006
【図５】
2013072238.tif 000007
【図６】
2013072238.tif 000008